(57)【要約】【課題】端子金具の強度低下を抑制しつつ、端子金具本体に対して弾性接触片を固定可能な端子金具を提供することを目的とする。【解決手段】端子金具１は、相手側端子金具と接続される端子接続部２０を備える本体部１０と、この本体部とは別体に形成された弾性接触片５０とを備える。この弾性接触片５０は、端子接続部２０内に配され、相手側端子金具に弾性的に接触するものである。弾性接触片は、本体部１０の一部を切り起こすことによって形成されたかしめ片２６によりかしめ付けられている。本体部１０においてかしめ片２６における基端位置の幅方向両端には基端側孔部２７が設けられ、かしめ片２６の側縁２６Ａにおいて基端側孔部２７が形成された部分を除く部分はせん断により本体部１０から分断されている。このような構成によれば、端子金具１の強度低下を抑制しつつ、本体部１０に対して弾性接触片５０を固定可能な端子金具１を提供できる。【選択図】図１
2014120215.tif 000002
【特許請求の範囲】
【請求項１】
相手側端子金具と接続される端子接続部を備える本体部と、
前記本体部とは別体に形成されて前記端子接続部内に配され、前記相手側端子金具に弾性的に接触する弾性接触片と、
前記本体部の一部を切り起こすことによって形成されて前記弾性接触片をかしめ付けるかしめ片とを備え、
前記本体部において前記かしめ片における基端位置の幅方向両端に孔部が設けられ、前記かしめ片の側縁において前記孔部が形成された部分を除く部分がせん断により前記本体部から分断されたものである、端子金具。
【請求項２】
前記本体部が、電線に接続されるものであって、前記端子接続部に連結部を介して連結される電線接続部を備え、
前記かしめ片が、前記端子接続部において前記連結部側の端部に設けられたものである、請求項１に記載の端子金具。
【発明の詳細な説明】
【技術分野】
【０００１】
本発明は、端子金具に関する。
【背景技術】
【０００２】
従来、前方から相手側端子金具が挿入される箱型の本体部と、本体部内に備えられて相手側端子金具に弾性的に接触する弾性接触片とを、異種の金属で形成した端子金具が知られている。このような端子金具によれば、例えば、弾性接触片を高価な耐熱銅合金等で形成することで、端子金具の耐久性を高める一方、本体部を安価な黄銅等で形成することで、端子金具の材料コストを低く抑えることができる。
【０００３】
弾性接触片を本体部に取り付ける方法としては、例えば下記特許文献に記載の方法が知られている。すなわち、本体部の側壁の一部を内側に切り起こすことで、係止孔と、係止孔の上縁から内側に突出する係止突起とを形成し、この係止孔に、弾性接触片の両側に突設した突片を係合させる方法である。
【先行技術文献】
【特許文献】
【０００４】
【特許文献１】特許第２９８８６０８号公報
【発明の概要】
【発明が解決しようとする課題】
【０００５】
ここで、上記のように切り起こしにより係止突起を形成する場合には、係止突起となる予定の領域の周囲をコの字状に抜き加工してスリット部を形成してから、切り残した部分に曲げ加工を施すことが一般的である。
しかし、このような方法では、切り起こしによって形成される抜き孔がスリット部の分だけ大きくなるため、端子金具においてこの抜き孔周辺の強度が低下する懸念がある。
【０００６】
本発明は上記のような事情に基づいて完成されたものであって、端子金具の強度低下を抑制しつつ、端子金具本体に対して弾性接触片を固定可能な端子金具を提供することを目的とする。
【課題を解決するための手段】
【０００７】
本発明の端子金具は、相手側端子金具と接続される端子接続部を備える本体部と、前記本体部とは別体に形成されて前記端子接続部内に配され、前記相手側端子金具に弾性的に接触する弾性接触片と、前記本体部の一部を切り起こすことによって形成されて前記弾性接触片をかしめ付けるかしめ片とを備え、前記本体部において前記かしめ片における基端位置の幅方向両端に孔部が設けられ、前記かしめ片の側縁において前記孔部が形成された部分を除く部分がせん断により前記本体部から分断されたものである。
【０００８】
上記のような構成によれば、かしめ片の切り起こしによって形成される抜き孔の大きさを必要最低限とすることができ、端子金具の強度低下を回避できる。加えて、かしめ片の基端位置、すなわち、かしめ片が曲げられる箇所において、かしめ片とその周辺領域との間に孔部によって隙間が設けられるから、曲げ加工を容易に行うことができ、曲げ部分の曲率半径を小さくできる。これにより、端子接続部において、弾性接触片が配される空間の幅を最大限に確保することができ、弾性接触片の幅を充分に確保することができる。以上より、端子金具の強度低下を抑制しつつ、端子金具本体に対して弾性接触片を固定可能な端子金具を提供できる。
【０００９】
また、前記本体部が、電線に接続されるものであって、前記端子接続部に連結部を介して連結される電線接続部を備え、前記かしめ片が、前記端子接続部において前記連結部側の端部に設けられたものであってもよい。
【００１０】
ここで、一般に連結部は端子金具において比較的強度が小さい部分であるため、この連結部の近傍に大きな抜き孔が形成されると、連結部の強度低下が懸念される。このため、連結部の近傍にかしめ片が形成される場合において、上記の構成のかしめ片を好適に適用できる。
【発明の効果】
【００１１】
本発明によれば、端子金具の強度低下を抑制しつつ、端子金具本体に対して弾性接触片を固定可能な端子金具を提供できる。
【図面の簡単な説明】
【００１２】
【図１】実施形態の端子金具の側面図
【図２】かしめ片の周辺部分を示す部分拡大側面図
【図３】端子接続部を示す部分平断面図
【図４】端子接続部においてかしめ片の周辺部分を示す部分拡大平断面図
【図５】端子接続部においてかしめ片の周辺部分を示す部分拡大横断面図
【図６】端子接続部の展開図
【図７】従来の第１の方法で製造された端子金具の側面図
【図８】従来の第１の方法で製造された端子金具における端子接続部の展開図
【図９】従来の第２の方法で製造された端子金具の側面図
【図１０】従来の第２の方法で製造された端子金具における端子接続部の展開図
【図１１】従来の第２の方法で製造された端子金具においてかしめ片の周辺部分を示す部分拡大横断面図
【発明を実施するための形態】
【００１３】
本発明の実施形態を、図１〜図１１を参照しつつ詳細に説明する。
本実施形態における端子金具１は、タブを有する雄側端子金具（相手側端子金具）と接続される雌側の端子金具である。端子金具１は、前方から雄側端子金具が挿入される本体部１０と、本体部１０とは別体に形成されて、雄側端子金具に弾性的に接触する弾性接触片５０とを備えるものである。以下、各構成部材において、雄側端子金具との接続方向前側を前方、その反対側を後方とし、また、図１の上側を上方、下側を下方として説明する。
【００１４】
本体部１０は、銅、黄銅等の銅合金からなる金属板材を打ち抜き加工した後、折り曲げ加工等することにより、前後方向に細長い形状に形成されたものである。この本体部１０の略前半領域には、雄側端子金具のタブが挿入される端子接続部２０が形成され、略後半領域には、電線６０がかしめ付けられる電線圧着部４０（電線接続部に該当）が形成されている。
【００１５】
端子接続部２０は、前後方向に細長い角筒状をなし、その前端には、雄側端子金具が挿入される端子挿入口２１が設けられている。端子接続部２０は、底壁２２と、この底壁２２の幅方向両端縁から上方へ起立した一対の側壁２３、２３と、これら一対の側壁２３、２３の上端に跨って底壁２２と対向して配される天井壁２４とを備えている。
【００１６】
電線圧着部４０は、端子接続部２０における底壁２２の後端から後方に延びる連結部３０を介して、端子接続部２０に連結されている。この電線圧着部４０は、連結部３０の後端から後方に延設される底板４１と、この底板４１の両側縁から突出する一対のワイヤバレル部４２及びインシュレーションバレル部４３とを備えている。ワイヤバレル部４２及びインシュレーションバレル部４３は、底板４１に載置された電線６０の芯線６１及び絶縁被覆６２にかしめ付けられ、これら芯線６１及び絶縁被覆６２を包み込むように曲げ変形がなされる。
【００１７】
端子接続部２０の内部には、本体部１０とは別体に形成された弾性接触片５０が配されている。この弾性接触片５０は、耐熱銅合金等からなり、全体として前後方向に細長い板状とされている。この弾性接触片５０の前端部および後端部は、それぞれ端子接続部２０の底壁２２に接する前側支点部５１および後側支点部５２とされており、これら前側支点部５１と後側支点部５２との中間部分は板ばね部５３とされている。板ばね部５３は、その前半部分が後方へ向かうに従って緩やかに上り、その後半部分が後方へ向かうに従って緩やかに下る山形に曲げ加工されている。山の頂点は、弾性接触片５０における前後方向の中央位置よりもやや前端寄りの位置に配され、雄側端子金具のタブと接触する接点部５４とされている。
【００１８】
弾性接触片５０の両側縁において、接点部５４の側方位置には、それぞれ、係止片５５が側方に向かって突設されている。一方、端子接続部２０における一対の側壁２３、２３には、係止孔２５が開口しており、係止片５５がこの係止孔２５に入り込むことによって、接点部５４の前後方向の位置決めがなされている。
【００１９】
前側支点部５１および板ばね部５３の幅は、端子接続部２０における底壁２２の内側面の幅よりもやや小さく形成されている。一方、後側支点部５２の幅は、前側支点部５１および板ばね部５３の幅よりも大きくされ、端子接続部２０における底壁２２の内側面の幅とほぼ同等とされている。この後側支点部５２において、前後方向の略中央位置には、その両側縁に、台形状の切り欠き部５６が設けられている。そして、一対の切り欠き部５６によって挟まれた部分は、他の部分よりも幅狭な幅狭部５７とされている。
【００２０】
さて、弾性接触片５０の後側支点部５２は、本体部１０に形成されたかしめ片２６によって、本体部１０にかしめ付けられている。このかしめ片２６は、本体部１０の一部を切り起こして形成されたものである。
【００２１】
かしめ片２６は、弾性接触片５０を端子接続部２０の底壁２２上に配した状態で、幅狭部５７に整合する位置に一対が設けられている。かしめ片２６は、本体部１０の底壁２２および側壁２３、２３の一部を内側に切り起こすことによって形成されたものである。各かしめ片２６の基端位置は、底壁２２の両側縁（側壁２３、２３と接する辺）よりもやや内側に入った位置とされ、先端位置は、側壁２３、２３の下端（底壁２２と接する辺）よりもやや上方位置とされている。また、かしめ片２６の幅（端子接続部２０の前後方向に沿う方向の長さ）は、弾性接触片５０の幅狭部５７における前後方向の長さとほぼ同等とされている。
【００２２】
端子接続部２０において、かしめ片２６の基端位置における幅方向（本体部１０の前後方向に沿う方向）の両端には、それぞれ、一対ずつの基端側孔部２７（孔部に該当）が抜き加工によって形成されている。基端側孔部２７の高さ位置は、弾性接触片５０を端子接続部２０の底壁２２上に配した状態で、幅狭部５７の上面位置よりもやや低い位置とされている。さらに、一対の側壁２３、２３において、かしめ片２６とされる領域の直上には、先端側孔部２８が抜き加工によって形成されている。先端側孔部２８の幅は、かしめ片２６において対となる基端側孔部２７に挟まれた部分の幅よりも大きくされている。そして、対となる基端側孔部２７の上端縁において内側（相手側の基端側孔部２７と対向する側）の端部よりもやや外側に寄った位置と、先端側孔部２８の下端縁においてその両端よりもやや内側に寄った位置とを結ぶ線が垂直にせん断されることによって、かしめ片２６が形成されている。
【００２３】
一対のかしめ片２６は、互いに中心側に倒されて、弾性接触片５０を底壁２２との間に挟み込んでかしめ付けている。一対のかしめ片２６は重なりあうことなく、互いの先端の間に若干の隙間をあけて配される。なお、かしめ片２６は、弾性接触片５０の後側支点部５２において、他の部分よりも幅の狭い幅狭部５７にかしめ付けられており、これによって、弾性接触片５０の前後方向の抜け止めがなされている。
【００２４】
端子金具１の組み立ては、例えば以下のようにして行われる。
【００２５】
まず、金属板材を打ち抜き加工することにより、本体部素片１０Ｅを形成する。この打ち抜き加工の際に、基端側孔部２７および先端側孔部２８の打ち抜きも同時に行う。これとともに、金属板材を打ち抜き加工および曲げ加工することにより、弾性接触片５０を形成しておく。
【００２６】
次に、弾性接触片５０を底壁２２上に載置した状態で、本体部素片１０Ｅに曲げ加工を施すことによって、端子接続部２０を形成する。このとき、係止片５５が係止孔２５に入り込むことによって、弾性接触片５０が端子接続部２０内に位置決め状態で係止される。
【００２７】
次いで、端子接続部２０においてかしめ片２６となる部分に治具をあてがい、内側に倒すように押圧する。すると、対となる基端側孔部２７の上端縁において内側（相手側の基端側孔部２７と対向する側）の端部よりもやや外側に寄った位置と、先端側孔部２８の下端縁においてその両端よりもやや内側に寄った位置とを結ぶ線が、垂直に引き裂かれるようにしてせん断される。これによりかしめ片２６が切り起こし形成され、このかしめ片２６によって弾性接触片５０がかしめ付けられる。
【００２８】
ここで、切り起こしによってかしめ片２６を形成して弾性接触片５０をかしめるために、従来、以下のような方法が考えられた。
【００２９】
第１の方法は、かしめ片１０２となる予定の領域のうち一辺を残し、他の三辺の周囲に抜き加工を施してスリット部１０３を形成してから、切り残した一辺を基端として曲げ加工を施す方法である。第１の方法で製造された端子金具１００における端子接続部１０１の側面図を図７に、展開図を図８に示した。
【００３０】
しかし、このような方法では、切り起こしによって形成される抜き孔１０４が、スリット部１０３の分だけ大きくなる。このため、この抜き孔１０４と連結部１０５との距離が短くなる。これにより、連結部１０５の強度が低下し、何らかの理由で端子金具１００に大きな力がかかった際に、この連結部１０５が損傷することが懸念される。特に、小型の端子金具の場合には、この懸念が大きくなる。
【００３１】
このような問題を回避するため、第２の方法として、かしめ片１１２となる領域の外周縁を、基端位置となる一辺を残してプレス加工等によってせん断しつつ曲げ加工する方法が考えられる。第２の方法で製造された端子金具１１０における端子接続部１１１の側面図を図９に、展開図を図１０に、部分拡大横断面図を図１１に示した。
【００３２】
しかし、このような方法では、かしめ片１１２における外周縁のせん断長さが安定せず、予定されていた基端位置を超えて亀裂が入ってしまうおそれがある。また、かしめ片１１２とその外側領域とのせん断面が面同士で接している状態で、無理に曲げ加工を行うため、精密な曲げ加工が難しく、曲げ部分の曲率半径が大きくなってしまう。このため、端子接続部１１１の底壁１１３において、一対のかしめ片１１２に挟まれる平坦な部分の幅が狭くなり、それに合わせて弾性接触片１１４の幅を狭くしなければならなくなるという問題が生じる。
【００３３】
そこで、本実施形態では、かしめ片２６となる領域における基端位置の幅方向両端と先端位置とに基端側孔部２７および先端側孔部２８を設け、かしめ片２６の側縁２６Ａにおいて基端側孔部２７から先端側孔部２８に至る部分をせん断しながら本体部１０から分断するようにした。
【００３４】
これにより、抜き孔２９の大きさを必要最低限とすることができる。加えて、かしめ片２６の基端位置において、かしめ片２６とその外側領域との間に基端側孔部２７によって隙間が設けられるから、かしめ片２６の曲げ加工が容易となり、曲げ部分の曲率半径を小さくできる。これにより、端子接続部２０の底壁２２において、一対のかしめ片２６に挟まれる平坦な部分の幅を確保することができ、弾性接触片５０の幅を充分に確保することができる。以上より、端子金具１の強度低下を抑制できる。
【００３５】
以上のように本実施形態の端子金具１は、相手側端子金具と接続される端子接続部２０を備える本体部１０と、この本体部とは別体に形成された弾性接触片５０とを備える。この弾性接触片５０は、端子接続部２０内に配され、相手側端子金具に弾性的に接触するものである。弾性接触片５０は、本体部１０の一部を切り起こすことによって形成されたかしめ片２６によりかしめ付けられている。本体部１０においてかしめ片２６における基端位置の幅方向両端には基端側孔部２７が設けられ、かしめ片２６の側縁２６Ａにおいて基端側孔部２７が形成された部分を除く部分はせん断により本体部１０から分断されている。
【００３６】
上記のような構成によれば、かしめ片２６の切り起こしによって形成される抜き孔２９の大きさを必要最低限とすることができ、端子金具１の強度低下を回避できる。加えて、かしめ片２６の基端位置、すなわち、かしめ片２６が曲げられる箇所において、かしめ片２６とその周辺領域との間に基端側孔部２７によって隙間が設けられるから、曲げ加工を容易に行うことができ、曲げ部分の曲率半径を小さくできる。これにより、端子接続部２０において、弾性接触片５０が重ねられる平坦な部分の幅を最大限に確保することができ、ここに積層される弾性接触片５０の幅を充分に確保することができる。以上より、端子金具１の強度低下を抑制しつつ、本体部１０に対して弾性接触片５０を固定可能な端子金具１を提供できる。
【００３７】
また、端子金具１は、電線６０に接続されるものであって、端子接続部２０に連結部３０を介して連結される電線圧着部４０を備えている。そして、かしめ片２６が、端子接続部２０において連結部３０側の端部に設けられている。
【００３８】
ここで、一般に連結部３０は端子金具１において比較的強度が小さい部分であるため、この連結部３０の近傍に大きな抜き孔が形成されると、連結部３０の強度低下が懸念される。このため、連結部３０の近傍にかしめ片２６が形成される場合において、上記のような構成のかしめ片２６を好適に適用できる。
【００３９】
＜他の実施形態＞
本発明は上記記述及び図面によって説明した実施形態に限定されるものではなく、例えば次のような実施形態も本発明の技術的範囲に含まれる。
（１）上記実施形態によれば、かしめ片２６は弾性接触片５０の両側に一対が設けられているが、これに限らず、かしめ部をいずれか一方のみに設けてもよい。また、この場合、かしめ部を他方の側まで延出するものとし、端子金具を全幅にわたって一のかしめ部でかしめ付けるものとしてもよい。
【００４０】
（２）上記実施形態によれば、かしめ片２６となる領域における基端位置の幅方向両端と先端位置とに基端側孔部２７および先端側孔部２８を設け、かしめ片２６の側縁２６Ａにおいて基端側孔部２７から先端側孔部２８までの部分をせん断しながら本体部１０から分断するようにしているが、先端側孔部を設けず、かしめ片の外周縁の全縁をせん断しながら本体部から分断するようにしてもよい。
【符号の説明】
【００４１】
１…端子金具
１０…本体部
２０…端子接続部
３０…連結部
４０…電線圧着部（電線接続部）
５０…弾性接触片
２６…かしめ片
２７…基端側孔部（孔部）
６０…電線
【図１】
2014120215.tif 000003
【図２】
2014120215.tif 000004
【図３】
2014120215.tif 000005
【図４】
2014120215.tif 000006
【図５】
2014120215.tif 000007
【図６】
2014120215.tif 000008
【図７】
2014120215.tif 000009
【図８】
2014120215.tif 000010
【図９】
2014120215.tif 000011
【図１０】
2014120215.tif 000012
【図１１】
2014120215.tif 000013